(57)【要約】【課題】光ピックアップの球面収差補正のための機構に関し、ステッピングモータなどでなる駆動源が回転駆動されたときにトラッキングエラー信号にノイズが発生する問題を改善する。【解決手段】光路中に介在した球面収差補正用のレンズ２０と、レンズ２０を装備した可動体３０と、可動体３０を光路に沿って移動させる駆動機構４０と、を備える。駆動機構が、リードスクリュー４２と、リードナット４３と、可動体３０をリードナット４３に押し付けているばね体４４と、を有する。リードナット４３の回り止め機構５０を、リードナット４３の突部５３と、突部５３の遊び揺動幅を規制する一対の受面５２，５２と、一方側の受面５２に対峙されて突部５３に弾接することによってその突部５３の遊び揺動幅を縮少するばね片５５と、によって構成する。【選択図】図１
2011134362.tif 000002
【特許請求の範囲】
【請求項１】
光路中に介在された球面収差補正用の光学素子としてのレンズと、このレンズを装備したレンズホルダーとしての可動体と、この可動体を上記光路に沿って移動させる駆動機構と、を備え、上記駆動機構が、駆動源によって回転駆動されるリードスクリューと、このリードスクリューにねじ合わされたリードナットと、上記可動体を上記リードナットに弾性的に常時押し付けているばね体と、を有し、上記可動体に、上記リードナットの上記リードスクリューとの共回りを抑制するための回り止め機構が設けられている光ピックアップにおいて、
上記回り止め機構が、上記リードナットに突設された突部と、上記可動体に設けられて上記突部が当接することによってその突部の一方向への遊び揺動幅を規制する受面と、上記可動体に設けられ、上記突部を挟む上記受面の反対側でその突部に対峙してその突部が弾接することによってその突部の他方向への遊び揺動幅を規制する緩衝体と、を備えていることを特徴とする光ピックアップ。
【請求項２】
光路中に介在された球面収差補正用の光学素子としてのレンズと、このレンズを装備したレンズホルダーとしての可動体と、この可動体を上記光路に沿って移動させる駆動機構と、を備え、上記駆動機構が、駆動源によって回転駆動されるリードスクリューと、このリードスクリューにねじ合わされたリードナットと、上記可動体を上記リードナットに弾性的に常時押し付けているばね体と、を有し、上記可動体に、上記リードナットの上記リードスクリューとの共回りを抑制するための回り止め機構が設けられている光ピックアップにおいて、
上記回り止め機構が、上記リードナットに突設された突部と、上記可動体に設けられて上記突部が当接することによってその突部の正逆方向の遊び揺動幅を規制する一対の相対向する受面と、上記可動体に取り付けられて、一方側の上記受面に対峙されて上記突部に弾接することによってその突部の上記遊び揺動幅を縮少するばね片と、を備えていることを特徴とする光ピックアップ。
【請求項３】
上記ばね片が、上記可動体に固着された取付片から延び出た突出片部の先端に曲成されている請求項２に記載した光ピックアップ。
【請求項４】
上記突部に弾接している上記ばね片の端縁に、それらの突部とばね片との当接箇所から遠ざかる方向に延び出た弾性を備えるアーム部が一体に曲成され、そのアーム部が、上記可動体に具備されて上記リードスクリューの軸線に対して傾斜している傾斜平坦面に弾圧状態で重ね合わされている請求項３に記載した光ピックアップ。
【請求項５】
光路中に介在された球面収差補正用の光学素子としてのレンズと、このレンズを装備したレンズホルダーとしての可動体と、この可動体を上記光路に沿って移動させる駆動機構と、を備え、上記駆動機構が、駆動源によって回転駆動されるリードスクリューと、このリードスクリューにねじ合わされたリードナットと、上記可動体を上記リードナットに弾性的に常時押し付けているばね体と、を有し、上記可動体に、上記リードナットの上記リードスクリューとの共回りを抑制するための回り止め機構が設けられている光ピックアップにおいて、
上記回り止め機構が、上記リードナットに突設された突部と、上記可動体に設けられて上記突部の両側に配備された一対の相対向する受面とを備えていると共に、上記突部に割り溝を形成することにより、その突部に、一対の上記受面に各別に対峙されて上記突部に弾接することによってその突部の遊び揺動幅を規制する一対の弾性片を具備させてあることを特徴とする光ピックアップ。
【請求項６】
上記弾性片は、上記リードナットからの上記突部の突出長さと同等の長さを有してその根元部分に幅狭の揺動支点を有している請求項５に記載した光ピックアップ。
【請求項７】
上記駆動源がステッピングモータである請求項１〜６のいずれか１項に記載した光ピックアップ。
【発明の詳細な説明】
【技術分野】
【０００１】
本発明は、光ピックアップ、特に、情報記録媒体としてのメディア（ディスク）の記録面での光スポットの球面収差を補正する機能を有する光ピックアップに関する。
【背景技術】
【０００２】
たとえば、短波長光を出射する光源を用いて光学的な処理を行うＢＤ（ブルーレイディスク）のようなメディアを使用対象としている光ピックアップでは、２層メディアの記録層間で光スポットに大きな球面収差が発生するため、その球面収差を補正する機能を付与しておくことが要求される。すなわち、ＢＤでは、１枚のメディア内にその厚さ方向に間隔を隔てて第１及び第２の２層の記録層が配置されている。そのために、光ピックアップの対物レンズによって形成される記録層での光スポットが一方の記録層から他方の記録層に切り換わる際に大きな球面収差が発生するので、その球面収差を補正することが要求される。
【０００３】
図７には、この種の球面収差を補正する機能を備えた光ピックアップ１０の光学系の要部を例示している。同図の光ピックアップ１０では、レーザダイオードでなる光源１１から出た短波長の光が立上げミラー１２で反射して対物レンズ１３に導かれ、対物レンズ１３を通過した光がメディア１００の記録面に光スポットを形成する。そして、光源１１と対物レンズ１３との間の光路Ｌ中に球面収差補正用の光学素子としてのレンズ２０が介在されている。球面収差補正用のレンズ２０には、たとえばコリメートレンズが採用される。レンズ２０は、レンズホルダーとしての可動体３０に装備されていて、その可動体３０と共に光路Ｌに沿って前後（矢印Ｄ）に移動されることによって光スポットの球面収差が補正される。そして、レンズ２０を装備した可動体３０に推進力を付与して上記のように光路Ｌに沿って前後Ｄに移動させるための駆動機構４０が、光ピックアップ１０に搭載されている。
【０００４】
従来の光ピックアップ１０に採用されていた駆動機構４０の構成を図８を参照して説明する。同図のように、駆動機構４０は、ステッピングモータなどの駆動源４１によって回転駆動されるリードスクリュー４２と、このリードスクリュー４２にねじ合わされたリードナット４３と、可動体３０をリードナット４３に弾性的に常時押し付けているばね体４４と、を有している。なお、図８において、４５は可動体３０の移動を案内する主軸、４６は可動体３０の移動を案内する副軸としてのレールをそれぞれ示している。
【０００５】
この駆動機構４０において、リードスクリュー４２とリードナット４３との噛合い箇所には、両者の相対回転を円滑にするための一定の遊びが確保されている。また、リードナット４３のリードスクリュー４２との共回りを抑制するための回り止め機構５０が設けられている。図例では、回り止め機構５０が、可動体３０に具備された凹所５１の両側の受面５２，５２と、リードナット４３に突設されて上記受面５２，５２の相互間に挿入されている突部５３とによって構成されている。そして、突部５３の揺動範囲がその両側の受面５２，５２の相互間隔によって規制され、突部５３が揺動可能な範囲内でリードナット４３がリードスクリュー４２の軸線回りに一定範囲内で正逆方向に揺動することができるようになっている。この駆動機構４０において、リードナット４３がリードスクリュー４２の回りに正逆方向に一定範囲内で揺動することができるようになっているのは、リードスクリュー４２の取付け公差などを勘案した上で、リードスクリュー４２の回転に追従させて可動体３０を円滑に前後移動させることなどによる。この構成の回り止め機構５０では、突部５３の両側の受面５２，５２の相互間隔が比較的広く形成されている。そのため、リードナット４３を可動体３０に組み付ける作業を容易に行うことができるという利点を有している。なお、符号６０は光ピックアップのベース部材を示している。
【０００６】
上記した駆動機構４０の基本的な構成自体は先行例によって公知である（たとえば、特許文献１、特許文献２、特許文献３、特許文献４参照）。また、振動を減らして収差補正を高速化させるための技術として、可動体の中間部を２つの部材に分割し、それら２つの部材をばね部材によって連結するという技術が提案されている（たとえば、特許文献５参照）。
【先行技術文献】
【特許文献】
【０００７】
【特許文献１】特開２００８−２５７８２４号公報
【特許文献２】特開２００９−１０４６８８号公報
【特許文献３】特開２００７−２５７８０５号公報
【特許文献４】特開２００７−２６５５９７号公報
【特許文献５】特開２００９−８０９２１号公報
【発明の概要】
【発明が解決しようとする課題】
【０００８】
図８を参照して説明した駆動機構４０では、光ピックアップ１０によってメディアの記録面を光学的に処理しているとき（たとえば情報の再生中）に、駆動源４１が回転駆動されると、リードナット４３の突部５３が可動体３０側の受面５２に衝突したときに、その衝突の衝撃でトラッキングエラー信号（以下「ＴＥ」という）にノイズが発生して処理性能が低下するという問題があった。
【０００９】
本発明は以上の問題に鑑みてなされたものであり、ステッピングモータなどの駆動源が回転駆動されたときに上記したようなＴＥにノイズが発生するという問題を改善することのできる光ピックアップを提供することを目的とする。
【００１０】
また、本発明は、リードナットを可動体に組み付ける作業を容易に行うことができるという利点を損うことなく、ステッピングモータなどの駆動源が回転駆動されたときに上記したようなＴＥにノイズが発生するという問題を改善することのできる光ピックアップを提供することを目的とする。
【課題を解決するための手段】
【００１１】
本発明に係る光ピックアップは、光路中に介在された球面収差補正用の光学素子としてのレンズと、このレンズを装備したレンズホルダーとしての可動体と、この可動体を上記光路に沿って移動させる駆動機構と、を備え、上記駆動機構が、駆動源によって回転駆動されるリードスクリューと、このリードスクリューにねじ合わされたリードナットと、上記可動体を上記リードナットに弾性的に常時押し付けているばね体と、を有し、上記可動体に、上記リードナットの上記リードスクリューとの共回りを抑制するための回り止め機構が設けられている。そして、上記回り止め機構が、上記リードナットに突設された突部と、上記可動体に設けられて上記突部が当接することによってその突部の一方向への遊び揺動幅を規制する受面と、上記可動体に設けられ、上記突部を挟む上記受面の反対側でその突部に対峙してその突部が弾接することによってその突部の他方向への遊び揺動幅を規制する緩衝体と、を備えている。
【００１２】
この構成であれば、リードスクリューと共回りするときのリードナットの回り角度が、可動体側の受面と緩衝体との相互間隔によって規制されるために、突部に対峙する緩衝体を突部に近付けておくことによって突部の一方向及び他方向への遊び揺動幅をきわめて小さくすることが容易に可能になる。そのため、リードナットの突部が遊び揺動して受面や緩衝体に衝突したとしても、その衝突の衝撃が小さく抑えられて緩和される。このような衝撃緩和作用が発揮されることにより、ＴＥに発生するノイズ信号の振幅が大幅に抑制されるというノイズ抑制作用が得られる。特に、リードナットの突部が遊び揺動して緩衝体に衝突したときには、緩衝体が衝突の衝撃を吸収するために、衝撃緩和作用がいっそう顕著に発揮されることにより、ＴＥに発生するノイズ信号の振幅がさらに大幅に抑制されるというノイズ抑制作用が得られる。ここで、緩衝体は、可動体に一体に成形されたものであっても、可動体とは別体の部品をその可動体に取り付けたものであってもよく、後者のように別体の緩衝体を可動体に取り付けるようにすると、リードナットを可動体に組み付けた後に、緩衝体を可動体に取り付けることができるようになって、リードナットを可動体に組み付ける作業を容易に行うことができるという従来の利点が損なわれない。緩衝体には、板ばねやコイルばねでなるばね片、布やゴム、スポンジ、紙、といった衝撃吸収作用を発揮する部材を選択して使用することができる。
【００１３】
本発明に係る光ピックアップは、光路中に介在された球面収差補正用の光学素子としてのレンズと、このレンズを装備したレンズホルダーとしての可動体と、この可動体を上記光路に沿って移動させる駆動機構と、を備え、上記駆動機構が、駆動源によって回転駆動されるリードスクリューと、このリードスクリューにねじ合わされたリードナットと、上記可動体を上記リードナットに弾性的に常時押し付けているばね体と、を有し、上記可動体に、上記リードナットの上記リードスクリューとの共回りを抑制するための回り止め機構が設けられている。そして、上記回り止め機構が、上記リードナットに突設された突部と、上記可動体に設けられて上記突部が当接することによってその突部の正逆方向の遊び揺動幅を規制する一対の相対向する受面と、上記可動体に取り付けられて、一方側の上記受面に対峙されて上記突部に弾接することによってその突部の上記遊び揺動幅を縮少するばね片と、を備えている。
【００１４】
この構成であれば、リードスクリューと共回りするときのリードナットの回り角度が、図８を参照して説明したそれよりも小さくなる。そのため、リードナットの突部が可動体側の受面やばね片に衝突したとしても、その衝突に伴う衝撃が緩和される。このような衝撃緩和作用が発揮されることにより、ＴＥに発生するノイズ信号の振幅が大幅に抑制されるというノイズ抑制作用が得られる。特に、リードナットの突部が遊び揺動してばね片に衝突したときには、ばね片が衝突の衝撃を吸収するために、衝撃緩和作用がいっそう顕著に発揮されることにより、ＴＥに発生するノイズ信号の振幅がさらに大幅に抑制されるというノイズ抑制作用が得られる。
【００１５】
本発明では、上記ばね片が、上記可動体に固着された取付片から延び出た突出片部の先端に曲成されている、という構成を採用することが可能である。この構成であれば、リードナットを可動体に組み付けてリードナットの突部を可動体側の一対の受面の相互間に挿入した後、ばね片を組み付けることができるので、リードナットを可動体に組み付ける作業を容易に行うことができるという従来例の利点を損うことなく、駆動源が回転駆動されたときに上記したようなＴＥにノイズが発生するという問題を改善することが可能になる。
【００１６】
本発明では、上記突部に弾接している上記ばね片の端縁に、それらの突部とばね片との当接箇所から遠ざかる方向に延び出た弾性を備えるアーム部が一体に曲成され、そのアーム部が、上記可動体に具備されて上記リードスクリューの軸線に対して傾斜している傾斜平坦面に弾圧状態で重ね合わされていることが望ましい。この構成であると、リードナットの突部がばね片に衝突したようなときに、ばね片が突部に係合してしまってばね片と突部との適切な組付け状態が損なわれるという事態が起こらなくなる。
【００１７】
別の本発明では、光路中に介在された球面収差補正用の光学素子としてのレンズと、このレンズを装備したレンズホルダーとしての可動体と、この可動体を上記光路に沿って移動させる駆動機構と、を備え、上記駆動機構が、駆動源によって回転駆動されるリードスクリューと、このリードスクリューにねじ合わされたリードナットと、上記可動体を上記リードナットに弾性的に常時押し付けているばね体と、を有し、上記可動体に、上記リードナットの上記リードスクリューとの共回りを抑制するための回り止め機構が設けられている光ピックアップにおいて、上記回り止め機構が、上記リードナットに突設された突部と、上記可動体に設けられて上記突部をその両側から挟み付けている一対の相対向する受面とを備えていると共に、上記突部に割り溝を形成することにより、その突部に、一対の上記受面に各別に対峙されて上記突部に弾接することによってその突部の遊び揺動幅を規制する一対の弾性片を具備させてある、という構成を採用することが可能である。
【００１８】
この構成によっても、リードスクリューと共回りするときのリードナットの回り角度が、図８を参照して説明したそれよりも小さくなる。しかも、突部には、可動体側の一対の受面に各別に対峙している一対の弾性片が備わっているので、リードナットがリードスクリューと共回りしたときには、弾性片が可動体側の受面に衝突してその衝突に伴う衝撃が吸収緩和される。このような衝撃緩和作用が発揮されることにより、ＴＥに発生するノイズ信号の振幅が大幅に抑制されるというノイズ抑制作用が得られる。
【００１９】
別の本発明において、上記弾性片は、上記リードナットからの上記突部の突出長さと同等の長さを有してその根元部分に幅狭の揺動支点を有している、という構成を採用することが可能である。また、上記した各発明において、駆動源にはステッピングモータや直流モータといった各種の回転駆動源を採用することが可能である。
【発明の効果】
【００２０】
以上のように、本発明によれば、可動体に設けられているリードナットのリードスクリューとの共回りを抑制するための回り止め機構に、リードナットに設けた突部が当接してその突部の遊び揺動幅を小さくする機能や、遊び揺動する突部が衝突する緩衝体やばね片、弾性片などによって発揮される衝撃吸収機能が付与されているので、駆動源が回転駆動されたときにＴＥにノイズが発生するという問題を改善することが可能になる。
【図面の簡単な説明】
【００２１】
【図１】本発明の実施形態に係る光ピックアップに備わっている駆動機構などを示した概略正面図である。
【図２】同駆動機構などを示した概略平面図である。
【図３】ばね片などの概略斜視図である。
【図４】別の実施形態に係る光ピックアップに備わっている駆動機構などを示した概略正面図である。
【図５】図４のＶ部拡大図である。
【図６】（Ａ）は実施形態の光ピックアップのＴＥに発生するノイズ信号の抑制作用を示した波形図、（Ｂ）は従来の光ピックアップのＴＥに発生するノイズ信号を示した波形図である。
【図７】球面収差補正機能を備えた光ピックアップの光学系の要部を例示した説明図である。
【図８】従来の光ピックアップに採用されていた駆動機構などの構成を示した概略平面図である。
【発明を実施するための形態】
【００２２】
図１は本発明の実施形態に係る光ピックアップに備わっている駆動機構などを示した概略正面図、図２は同駆動機構などを示した概略平面図である。図３はばね片などの概略斜視図である。
【００２３】
図１及び図２に示した駆動機構などは、図７を参照して説明したものと同様の構成を有する光ピックアップ１０に組み付けられている。したがって、球面収差の補正時には、光学素子としてのレンズ２０を装備している可動体３０が、駆動機構４０の推進力を受けて光路Ｌ（図７参照）に沿う方向に移動される。
【００２４】
駆動機構は、ステッピングモータや直流モータ、その他の駆動源４１によって回転駆動されるリードスクリュー４２と、このリードスクリュー４２にねじ合わされたリードナット４３と、可動体３０をリードナット４３に弾性的に常時押し付けているばね体４４と、を有している。可動体３０は、主軸４５と副軸としてのレール４６によって光路Ｌに沿う方向に案内される。
【００２５】
この駆動機構において、リードスクリュー４２とリードナット４３との噛合い箇所には、両者の相対回転を円滑にするための一定の遊びが確保されている。また、リードナット４３のリードスクリュー４２との共回りを抑制するための回り止め機構５０が設けられている。図例の回り止め機構５０は、可動体３０に具備された凹所５１の両側の受面５２，５２と、リードナット４３に突設されて上記受面５２，５２の相互間に挿入されている突部５３とを有している。したがって、突部５３の遊び揺動幅がその両側の受面５２，５２の相互間隔によって規制され、突部５３が遊び揺動可能な範囲内でリードナット４３がリードスクリュー４２の軸線回りに一定範囲内で正逆方向に揺動することができるようになっている。
【００２６】
この駆動機構において、リードナット４３がリードスクリュー４２の回りに正逆方向に一定範囲内で揺動することができるようになっているのは、リードスクリュー４２の取付け公差などを勘案した上で、リードスクリュー４２の回転に追従させて可動体３０を円滑に前後移動させることなどによる。また、回り止め機構５０では、突部５３の両側の受面５２，５２の相互間隔が比較的広く形成されている。そのため、リードナット４３を可動体３０に組み付ける作業を容易に行うことができるという利点を有している。なお、符号６０は光ピックアップのベース部材を示している。
【００２７】
この実施形態では、上記回り止め機構５０にばね片５５が追加されている。このばね片５５は、可動体３０側の一対の受面５２，５２の相互間に挿入されていることにより一方側の受面５２に対峙されていて、しかも、リードナット４３の突部５３に弾接することによってその突部５３の遊び揺動幅を縮少する作用を発揮している。すなわち、一対の受面５２，５２の相互間隔に対して、一方側の受面５２とばね片５５との相互間隔が短くなっている。このばね片５５は、突部５３に接触して一方側の受面５２との間でその突部５３を常時挟み付けていてもよいが、その必要性は必ずしもなく、一対の受面５２，５２によって規制される突部５３の遊び揺動幅を縮少する位置、すなわち一対の受面５２，５２のうちのいずれか一方側の受面５２に接触している突部５３に接近している位置に配備されていればよい。
【００２８】
図３に示したように、上記ばね片５５は、前後に長い取付片５６から横方向に延び出た突出片部５７の先端に下向き直角に曲成されている。そして、図２のように取付片５６を可動体３０の上面に重ね合わせて接着剤で固着することによって、ばね片５５が、上記のように可動体３０側の一対の受面５２，５２の相互間に挿入されている。
【００２９】
さらに、図２又は図３に示したように、ばね片５５の端縁には、リードナット４３の突部５３とばね片５５との当接箇所から遠ざかる方向に延び出た弾性を備えるアーム部５８が一体に曲成されている。そして、そのアーム部５８が、可動体３０に具備されてリードスクリュー４２の軸線に対して傾斜している傾斜平坦面３１に弾圧状態で重ね合わされている。
【００３０】
この実施形態において、球面収差補正時にステッピングモータなどの駆動源４１が回転駆動されると、リードナット４３の突部５３が可動体３０側の一方側の受面５２とばね片５５との相互間隔で規制される範囲内で遊び揺動する。したがって、リードスクリューと共回りするときのリードナットの回り角度が、図８を参照して説明したそれよりも小さくなる。ここで、一方側の受面５２とばね片５５との相互間隔は一対の受面５２，５２の相互間隔よりも狭いため、突部５３が遊び揺動して一方側の受面５２又はばね片５５に衝突したとしても、その衝撃が大幅に緩和され、そのような衝撃緩和作用により、ＴＥのノイズが軽減又は解消されて、駆動源４１が回転駆動されたときにＴＥにノイズが発生するという従来の問題が改善される。また、突部５３がばね片５５に衝突したときには、ばね片５５が衝撃を吸収するために衝撃緩和作用がいっそう一層顕著に発揮されるようになり、ＴＥにノイズが発生するという従来の問題が解消される。
【００３１】
また、この実施形態では、リードナット４３を可動体３０に組み付けてリードナット４３の突部５３を可動体３０側の一対の受面５２，５２の相互間に挿入した後、取付片５６を可動体３０に固着してばね片５５を組み付けることができるので、リードナット４３を可動体に組み付ける作業を容易に行うことができるという従来例の利点が損なわれない。
【００３２】
さらに、この実施形態では、アーム部５８が、可動体３０側の傾斜平坦面３１に弾圧状態で重ね合わされていることにより、リードナット４３の突部５３がばね片５５に衝突したようなときに、突部５３にはね片５５が乗り上がってばね片５５が突部５３に係合するという事態が防止される。そのため、ばね片５５と突部５３との適切な組付け状態が損なわれることがなくなり、球面収差補正作用の信頼性が向上する。
【００３３】
以上説明した実施形態では、リードナット４３の突部５３の正逆方向の遊び揺動幅を規制する一対の相対向する受面５２，５２の相互間にばね片５５を挿入してその突部５３の遊び揺動幅を縮小している。しかしながら、この点は、他方側の受面５２を省略したものであってもよい。すなわち、回り止め機構が、リードナットに突設された突部と、可動体に設けられて突部が当接することによってその突部の一方向への遊び揺動幅を規制する受面と、可動体に設けられ、突部を挟む受面の反対側でその突部に対峙してその突部が弾接することによってその突部の他方向への遊び揺動幅を規制する緩衝体と、を備えているものであってもよい。
【００３４】
ここで、緩衝体は、可動体と樹脂で一体成形した樹脂ばねによって構成することが可能である。しかし、突部を有するリードナットと可動体の組付け性を損なわせないためには、図１又は図２を参照して説明した実施形態のように緩衝体にばね片を採用し、リードナットを可動体に組み付けた後に、緩衝体としてのばね片を可動体に取り付けることが望ましい。緩衝体には、板ばねやコイルばねでなるばね片、布やゴム、スポンジ、紙、といった衝撃吸収作用を発揮する部材を選択して使用することができる。
【００３５】
図４は別の実施形態に係る光ピックアップに備わっている駆動機構４０などを示した概略正面図、図５は図４のＶ部拡大図である。この実施形態では、回り止め機構５０の構成が図１又は図２を参照して説明した実施形態と相違している。
【００３６】
すなわち、別の実施形態では、回り止め機構５０が、リードナット４３に突設された突部５３と、可動体３０に設けられた一対の相対向する受面５２，５２とを備えていて、それらの一対の受面５２，５２が突部５３の両側に配備されている。また、突部５３に割り溝５３ａを形成することにより、その突部５３に一対の弾性片５９を具備させてある。これらの弾性片５９，５９は、一対の上記受面５２，５２に各別に対峙されていればよい。すなわち、弾性片５９，５９は、相手方の受面５９，５９に接触していしてもよいが、その必要性は必ずしもなく、一対の受面５２，５２によって規制される突部５３の遊び揺動幅を縮少する位置、すなわち一対の受面５２，５２に接近した位置に配備されていればよい。図例の弾性片５９，５９は、リードナット４３からの突部５３の突出長さと同等の長さを有してその根元部分に幅狭の揺動支点５９ａ，５９ａを有している。
【００３７】
図４又は図５を参照して説明した別の実施形態によっても、リードスクリュー４２と共回りするときのリードナット４３の回り角度が、図８を参照して説明したそれよりも小さくなる。しかも、突部５３には、可動体３０側の一対の受面５２，５２に各別に対峙している一対の弾性片５９，５９が備わっているので、リードナット４３がリードスクリュー４２と共回りしたときには、弾性片５９，５９が可動体３０側の一方側又は他方側の受面５２に衝突してその衝突に伴う衝撃が緩和される。このような衝撃緩和作用が発揮されることにより、ＴＥに発生するノイズ信号の振幅が大幅に抑制されるというノイズ抑制作用が得られる。
【００３８】
以上説明した各実施形態において、リードナット４３は突部５３を一体に備えた樹脂成形体とすることが可能である。その場合において、図４又は図５に示した別の実施形態では、リードナット４３の突部５３に具備された弾性片５９，５９の根元部分に幅狭の揺動支点５９ａ，５９ａを形成しておくと、弾性片５９，５９の衝撃吸収作用が高まるために、衝撃緩和作用が向上してＴＥに発生するノイズ信号の振幅がいっそう大幅に抑制されるという優れたノイズ抑制作用が得られる。
【００３９】
図６（Ａ）は、図１〜図３を参照して説明した実施形態の光ピックアップにおいて、ＴＥに発生するノイズ信号の抑制作用をオシロスコープを用いて測定した結果を示している。また、図６（Ｂ）は、図８を参照して説明した光ピックアップにおいて、ＴＥに発生するノイズ信号をオシロスコープを用いて測定した結果を示している。図６（Ａ）（Ｂ）において、「Ａ＋」及び「Ｂ＋」は駆動源としての２層ステッピングモータの駆動信号波形を示し、「ＴＥ」はＴＥ信号波形を示している。図６（Ａ）（Ｂ）を対比すると、リードナットの突部の遊び揺動幅が縮少されていない図６（Ｂ）の測定結果では、ＴＥ信号波形にノイズを示す波形ａが現れているけれども、ばね片によって突部の遊び揺動幅が縮少されている図６（Ａ）の測定結果では、図６（Ｂ）に見られるノイズを示す波形ａが消滅している。したがって、図１〜図３を参照して説明した実施形態の光ピックアップでは、ＴＥに発生するノイズ信号の振幅が無くなって顕著なノイズ抑制作用の得られていることが判る。
【００４０】
なお、図４又は図５を参照して説明した別の実施形態の光ピックアップによっても、同様に、ＴＥに発生するノイズ信号の振幅が無くなって顕著なノイズ抑制作用が得られていることが判っている。
【００４１】
図１〜図５、図７、図８では、説明の便宜上、同一又は相応する部分に同一符号を付してある。
【符号の説明】
【００４２】
Ｌ  光路
１０  光ピックアップ
２０  レンズ
３０  可動体
３１  傾斜平坦面
４０  駆動機構
４１  駆動源
４２  リードスクリュー
４３  リードナット
４４  ばね体
５０  回り止め機構
５２  受面
５３  突部
５３ａ  割り溝
５５  ばね片
５６  取付片
５７  突出片部
５８  アーム部
５９  弾性片
５９ａ  揺動支点
【図１】
2011134362.tif 000003
【図２】
2011134362.tif 000004
【図３】
2011134362.tif 000005
【図４】
2011134362.tif 000006
【図５】
2011134362.tif 000007
【図６】
2011134362.tif 000008
【図７】
2011134362.tif 000009
【図８】
2011134362.tif 000010